(57)【要約】【課題】現像剤同士の摩擦や、現像剤と規制部材との摩擦等により現像剤が昇温することを抑え、現像剤の流動性の悪化を抑制して、良好な現像性能が得られるとともに、現像剤の昇温を抑えるのに装置構成上の制約がなく、簡単な部品を用いた現像装置とそれを備えた画像形成装置を提供する。【解決手段】現像装置１００ａのハウジング２２が撹拌部材２３、磁気ローラ２１、穂切りブレード２４及び現像ローラ２０を内包して、ハウジング２２に取り付けた羽根車２８が駆動機構により回転させられると、ハウジング２２内の空気が撹拌される。【選択図】図２
2008299047.tif 000002
【特許請求の範囲】
【請求項１】
像担持体に対向して配置され現像剤を前記像担持体に搬送する現像剤担持体と、現像剤の層厚を規制する規制部材と、現像剤を撹拌する撹拌部材と、前記現像剤担持体、前記規制部材及び前記撹拌部材とを内包するハウジングとを備えた現像装置において、
前記ハウジング内の空気を撹拌する回転体が前記ハウジングに取り付けられたことを特徴とする現像装置。
【請求項２】
前記回転体は、合成樹脂からなる複数の羽根を備える羽根車で形成されることを特徴とする請求項１に記載の現像装置。
【請求項３】
前記規制部材は、一端部が現像剤の層厚を規制して、他端部が前記ハウジングに取り付けられ、前記回転体は、空気が前記一端部から前記他端部に流れる方向に回転することを特徴とする請求項１または請求項２に記載の現像装置。
【請求項４】
前記回転体は、前記現像剤担持体を回転させる駆動源により回転させられることを特徴とする請求項１〜請求項３のいずれかに記載の現像装置。
【請求項５】
請求項１〜請求項４のいずれかに記載の現像装置が搭載された画像形成装置。
【発明の詳細な説明】
【技術分野】
【０００１】
本発明は、現像剤を用いて感光体等の像担持体の現像を行う現像装置及び現像装置を有する複写機、ファクシミリ、プリンタ等の画像形成装置に関する。
【背景技術】
【０００２】
従来、現像装置は、現像剤を撹拌混合する撹拌部材と、現像剤を担持する現像ローラ等の現像剤担持体と、現像剤の層厚を規制する規制部材を備えて、像担持体の現像を行うことを目的としている。かかる撹拌混合の際に現像剤同士が擦り合わされて摩擦が起こり、また、現像剤の層厚を規制するために、現像剤を担持する部材と規制部材が回転摺動すると、規制部材と現像剤で摩擦が起こる。これらの摩擦で発生する熱により現像剤が昇温すると、現像剤が溶融したりして、現像剤の流動性が悪くなる。現像剤の流動性が悪化すると、現像剤の性能が劣化したり、溶融したトナーが規制部材や現像剤担持体に付着したりすることで、地汚れやスジ等の現像ムラ等が生じ、現像性能が低下するという不具合がある。
【０００３】
そこで、特許文献１には、現像剤を担持して搬送する現像剤担持体と、この現像剤担持体に担持された現像剤の層厚を規制する規制部材と、現像剤担持体による現像剤の搬送方向における規制部材の上流側の位置で現像剤担持体に対向するように設けられ、現像剤の放熱を行うための吸熱部材とを有し、この吸熱部材が、現像剤担持体に対向し現像剤から吸熱する対向部と、この対向部の熱を放熱するための放熱部とを有する技術が開示されている。
【０００４】
しかしながら、上述した従来技術では、現像剤が、規制部材で規制される際の摩擦で十分に帯電されるとともに、吸熱部材の対向部により直接吸熱されることで冷却され、過剰に昇温することが防止されているが、吸熱部材としてヒートシンクを備え、ヒートシンクがアルミニウム、銅、鉄、ステンレス等の高価な金属部品で構成されることになり、製造コスト上高くなり、また導電体で形成されているので、現像装置内での構成上に制約があるという不都合があった。
【特許文献１】特開２００６−１３９０４５号公報（段落［００６１］、［００６２］、図４）
【発明の開示】
【発明が解決しようとする課題】
【０００５】
本発明は、上記のような課題を解決するためになされたものであり、現像剤同士の摩擦や、現像剤と規制部材との摩擦等により現像剤が過剰に昇温することを抑え、現像剤の流動性の悪化を抑制して、良好な現像性能が得られるとともに、現像剤の昇温を抑えるのに装置構成上の制約がなく、簡単な部品を用いた現像装置とそれを備えた画像形成装置を提供することを目的とする。
【課題を解決するための手段】
【０００６】
上記目的を達成するために本発明は、像担持体に対向して配置され現像剤を前記像担持体に搬送する現像剤担持体と、現像剤の層厚を規制する規制部材と、現像剤を撹拌する撹拌部材と、前記現像剤担持体、前記規制部材及び前記撹拌部材とを内包するハウジングとを備えた現像装置において、前記ハウジング内の空気を撹拌する回転体が前記ハウジングに取り付けられたことを特徴としている。
【０００７】
この構成によれば、回転体が回転して、ハウジング内の空気を撹拌すると、規制部材と現像剤との摺動による摩擦（以下、摺擦とする）により発熱した空気、また撹拌部材の現像剤の撹拌により発熱した空気がハウジング内で急速に撹拌されて、ハウジング内の温度上昇が抑制される。また、この構成によると、回転体がハウジングに取り付けられる。
【０００８】
また、本発明は、上記の構成の現像装置において、前記回転体は、合成樹脂からなる複数の羽根を備える羽根車で形成されることを特徴としている。この構成によれば、羽根車がハウジングに取り付けられる。
【０００９】
また、本発明は、上記の構成の現像装置において、前記規制部材は、一端部が現像剤の層厚を規制して、他端部が前記ハウジングに取り付けられ、前記回転体は、空気が前記一端部から前記他端部に流れる方向に回転することを特徴としている。この構成によれば、回転体が回転して、空気が規制部材の一端部から他端部に流れると、規制部材と現像剤との摺擦により発熱した空気、また撹拌部材の現像剤の撹拌により発熱した空気がハウジング内で急速に撹拌されて、ハウジング内の温度上昇が抑制される。
【００１０】
また、本発明は、上記の構成の現像装置において、前記回転体は、前記現像剤担持体を回転させる駆動源により回転させられることを特徴としている。この構成によれば、回転体と現像剤担持体が同じ駆動源により回転させられる。
【００１１】
また、本発明は、上記の構成の現像装置が搭載された画像形成装置である。
【発明の効果】
【００１２】
請求項１に記載の発明によると、ハウジングに現像剤担持体、規制部材及び撹拌部材が内包された現像装置において、回転体が回転して、ハウジング内の空気が撹拌されるので、規制部材と現像剤との摺擦、また撹拌部材の現像剤の撹拌により発熱した空気がハウジング内で急速に撹拌されて、ハウジング内の温度上昇が抑制される。そのために、現像剤の流動性が悪化することなく、良好な現像性能を得ることができる。また、現像剤の昇温を抑えるのに、回転体を用いているので、装置構成上の制約がなく、簡単な部品で構成することができる。
【００１３】
また、請求項２に記載の発明によると、回転体は、合成樹脂からなる複数の羽根を備える羽根車で形成されるので、簡単に作製することができ、製造コストを安くすることができる。
【００１４】
また、請求項３に記載の発明によると、規制部材の一端部が現像剤の層厚を規制して、その他端部がハウジングに取り付けられて、回転体は、空気が規制部材の一端部から他端部に流れる方向に回転するので、規制部材と現像剤との摺擦、また撹拌部材の現像剤の撹拌により発熱した空気がハウジング内で急速に撹拌されて、ハウジング内の温度上昇が抑制されるために、現像剤の流動性が悪化することなく、良好な現像性能を得ることができる。
【００１５】
また、請求項４に記載の発明によると、駆動源が回転体と現像剤担持体を回転させるので、回転体と現像剤担持体の夫々にモータや駆動回路等を設ける必要がなく、構成が簡単になり、製造コストを抑制することができる。
【００１６】
また、請求項５に記載の発明によると、上記の現像装置を備えるようにすれば、現像剤の昇温が抑制され、現像剤の流動性が悪化することがないから、形成される画像の品質が高くて安定した画像形成装置にすることができる。
【発明を実施するための最良の形態】
【００１７】
以下に本発明の実施形態について図面を参照して説明するが、本発明は、この実施形態に限定されない。本発明の実施形態は発明の最も好ましい形態を示すものであり、また発明の用途やここで示す用語等はこれに限定されるものではない。
【００１８】
図１は、本発明の画像形成装置１の全体構成の概略を示す断面図である。回転自在である感光体１０ａ〜１０ｄは、感光層を形成する感光材料としては、アモルファスシリコン感光体や有機感光体（ＯＰＣ感光体）が用いられ、ブラック（Ｂ）、イエロー（Ｙ）、シアン（Ｃ）及びマゼンタ（Ｍ）の各色に対応する。各感光体１０ａ〜１０ｄの周囲に、現像装置１００ａ〜１００ｄ、帯電器４０ａ〜４０ｄ及び光学露光器（図示せず）が配置される。現像装置１００ａ〜１００ｄは現像ローラと各色のトナーの収容容器とを有する。パーソナルコンピュータ等から画像入力部（図示せず）に入力された原稿画像データに基づいて、光学露光器から感光体１０ａ〜１０ｄ上にレーザビームを照射する。
【００１９】
中間転写ベルト５がテンションローラ９、駆動ローラ２５及び従動ローラ２７に張架されており、中間転写ベルト５に接触するように各感光体１０ａ〜１０ｄが中間転写ベルト５の搬送方向（図１中矢印方向）に沿って上流側から隣り合うように対向して配列されている。各１次転写ローラ２６ａ〜２６ｄは、中間転写ベルト５を挟んで各感光体１０ａ〜１０ｄと対向して中間転写ベルト５に接触するよう配置されている。また、２次転写ローラ７は、中間転写ベルト５を挟んで駆動ローラ２５と対向して中間転写ベルト５に接触するよう配置されている。
【００２０】
画像形成開始操作がされると、各感光体１０ａ〜１０ｄは図１中反時計周りに回転し、各帯電器４０ａ〜４０ｄが各感光体１０ａ〜１０ｄ表面を一様に帯電し、次いで各光学露光器が画像データに基づき各感光体１０ａ〜１０ｄ表面に光を照射し、各感光体１０ａ〜１０ｄ表面に静電潜像が形成される。次いで各現像装置１００ａ〜１００ｄが有する現像ローラに印加された現像バイアス電圧により、各感光体１０ａ〜１０ｄ表面に形成された静電潜像に各色トナーが付着し、トナー像が形成される。
【００２１】
各感光体１０ａ〜１０ｄ表面に形成された各色のトナー像は、１次転写バイアス電位（トナーの帯電極性と逆極性）を印加された１次転写ローラ２６ａ〜２６ｄにより、図１中矢印方向に搬送されている中間転写ベルト５に順次１次転写されて色重ねされ、中間転写ベルト５上にフルカラーのトナー像が形成される。
【００２２】
用紙搬送部では、給紙カセット６に積載された用紙を１枚ずつ繰り出し、搬送ローラ対２２が用紙を中間転写ベルト５と２次転写ローラ７の間に搬送する。そして、２次転写バイアス電位（トナーの帯電極性と逆極性）が印加された２次転写ローラ７により、中間転写ベルト５上に形成されたフルカラーのトナー像が用紙に２次転写される。
【００２３】
フルカラーのトナー像が転写された用紙は、定着器８に搬送され、定着ローラにより加熱および加圧されてトナー像が用紙の表面に定着され、フルカラー画像が形成される。フルカラー画像が形成された用紙は、排出ローラ対（図示せず）によって装置本体外に排出される。
【００２４】
図２は、上述の画像形成装置１に用いられる現像装置１００ａ〜１００ｄの構成を示す断面図である。なお、以下の説明では、図１の感光体１０ａと相対する現像装置１００ａの構成及び動作について説明するが、現像装置１００ｂ〜１００ｄの構成及び動作については同様であり説明を省略する。
【００２５】
図２に示すように、現像装置１００ａは、主としてハウジング２２、現像剤担持体としての現像ローラ２０、磁気ローラ２１、撹拌部材２３、規制部材としての穂切りブレード２４及び、回転体としての羽根車２８等により構成される。
【００２６】
感光体１０ａに対向し、一定の隙間を設けて現像ローラ２０が配される。そして、図２における左斜め上方に現像ローラ２０に対向し、一定の隙間を設けて磁気ローラ２１が配され、撹拌部材２３が磁気ローラ２１の左方に設けられる。また、穂切りブレード２４は図２における磁気ローラ２１の上方に設けられる。穂切りブレード２４の左方の空隙部には羽根車２８が設けられる。そして、ハウジング２２内に、現像ローラ２０、磁気ローラ２１、撹拌部材２３及び羽根車２８が夫々回転可能に取り付けられ、穂切りブレード２４が固定保持される。
【００２７】
撹拌部材２３は、撹拌ミキサー２３ａとパドルミキサー２３ｂの２本で構成されて、磁性体のキャリアとトナーからなる現像剤を撹拌して、現像剤中のトナーを所定のレベルに帯電させる。帯電することにより、トナーはキャリアに保持される。撹拌ミキサー２３ａとパドルミキサー２３ｂとの間には、仕切り板２２ｂが配置され、その両端側で現像剤が自由に通過できるようになっている。ハウジング２２内の現像剤は、撹拌ミキサー２３ａによって撹拌されて帯電し、仕切り板２２ｂを通過して、パドルミキサー２３ｂ側に搬送される。そして、現像剤は、パドルミキサー２３ｂによって撹拌帯電されつつ、磁気ローラ２１に供給される。現像剤の堆積高さをラインＬ（図２の２点鎖線）として示す。
【００２８】
磁気ローラ２１は、現像ローラ２０にトナーの供給を行うために、磁気ローラ２１の外周面上に、現像剤を保持する。具体的には、磁気ローラ２１は、非磁性金属材料で円筒状の回転スリーブ２１ａとその内部に配置された固定磁石体２１ｂとを有し、固定磁石体２１ｂには複数の磁極が形成される。固定磁石２１ｂは回転不能に支持され、回転スリーブ２１ａは図示しないモータとギア列の駆動機構により回転駆動される。従って、磁気ローラ２１は、固定磁石体２１ｂにより、回転スリーブ２１ａの表面上に、トナーを保持したキャリアによる磁気ブラシを回転スリーブ２１ａ上に形成させる。
【００２９】
穂きりブレード２４は、回転スリーブ２１ａ上に形成される磁気ブラシの層規制を行うためのものであり、磁気ブラシを所定の高さの層厚に調節する。また、穂切りブレード２４が磁気ローラ２１の軸線方向（図２の紙面垂直方向）に磁気ローラ２１と略同じ長さで延在する。穂切りブレード２４の一端部２４ａが、回転スリーブ２１ａ上の磁気ブラシに接触して、磁気ブラシを回転スリーブ２１ａ上に均一な層厚に調節して、その他端部２４ｂが支持板２２ａに固定され、支持板２２ａを介してハウジング２２に固定保持される。
【００３０】
ここで、現像ローラ２０に直流電圧が印加され、また磁気ローラ２１にも直流電圧が印加されると、現像ローラ２０と磁気ローラ２１の電位差により、磁気ローラ２１上の磁気ブラシから、トナーのみの薄層が現像ローラ２０に形成される。そして、現像ローラ２０上に薄層として形成保持されたトナーは、現像ローラ２０から感光体１０ａに飛翔される。
【００３１】
次に、本発明の実施形態に係る羽根車２８の構成について説明する。羽根車２８は、ハウジング２２内の空気を撹拌するために、回転する。羽根車２８は、穂切りブレード２４と磁気ローラ２１の近傍に配され、磁気ローラ２１の軸線方向（図２の紙面垂直方向）と平行である軸２８ａにより、ハウジング２２に回転可能に保持される。軸２８ａは、磁気ローラ２１を回転駆動するモータとギア列の駆動機構（図示しない）により回転駆動される。また、モータとギア列の駆動機構は現像ローラ２０を回転駆動させる。
【００３２】
図３の斜視図に示すように、羽根車２８は、軸２８ａの周りに複数の羽根２８ｂが取り付けられる。各羽根２８ｂは、ＰＥＴ（ポリエチレンテフタレート）フィルムで形成されるが、回転しても、空気抵抗により撓むことがない程度の剛性を備えている。また、各羽根２８ｂは、軸２８ａの軸線方向に向けて設けた２箇所のスリット２８ｃにより、分割される。羽根２８ｂが分割されることにより、回転時の羽根２８ｂが受ける空気抵抗を和らげる。軸２８ａの一端にギア２８ｄが形成され、モータとギア列の駆動機構（図示しない）に噛み合う。軸２８ａ、羽根２８ｂ及びギア２８ｄは合成樹脂で一体に形成すると、簡単に作製することができ、また、電気抵抗値の大きい合成樹脂で羽根車２８を形成すると、帯電した現像剤が付着するおそれがない。
【００３３】
ここで、磁気ローラ２１が回転し、磁気ブラシと穂切りブレード２４が摺擦しているときに、磁気ローラ２１の駆動機構と同期させて、羽根車２８が図２に示す矢印方向に回転させられると、ハウジング２２内の空気が撹拌される。つまり、磁気ローラ２１表面上の磁気ブラシ側の空気が、穂切りブレード２４の一端部２４ａ側からその他端部２４ｂ側に流れ、コ字状の支持板２２ａに沿って図２において反時計方向に循環する。これにより、穂切りブレード２４と磁気ブラシ２１との摺擦により発熱した空気が、ハウジング２２内に撹拌されるので、穂切りブレード２４により層厚調節された現像剤の温度上昇が抑制される。昇温を抑えた現像剤から、トナーのみの薄層が現像ローラ２０に形成され、そのトナーは感光体１０ａに飛翔される。
【００３４】
また、撹拌部材２３の現像剤の撹拌や磁気ローラ２１と現像ローラ２０の回転等により発熱して、温度上昇した空気が発生するが、羽根車２８の回転により、そのような空気も撹拌されて、ハウジング２２内の温度上昇が抑制される。
【００３５】
穂切りブレード２４の近傍における現像剤の温度を調べる。具体的には、羽根車２８を、図２に示す位置に配置して、４００ｍｍ／秒の回転速度で図２に示す矢印方向（反時計方向）に回転させた場合（モデル１とする）と、羽根車２８を４００ｍｍ／秒の回転速度で時計方向に回転させた場合（モデル２とする）との現像剤の温度を比べると、モデル１の上昇温度は、羽根車２８を設けないときの上昇温度に対して、１２．２％低下し、モデル２の上昇温度は、羽根車２８を設けないときの上昇温度に対して、５．１％低下する。これより、モデル１、モデル２ともに羽根車２８を設けない場合よりも、穂切りブレード２４の近傍における現像剤の温度を低下させるが、モデル１は、その温度を低下させる効果が一層大きい。
【００３６】
また、上述のモデル１から穂切りブレード２４を取り除いたモデルにおいて、羽根車２８を４００ｍｍ／秒の回転速度で回転させると、羽根車２８を設けない場合に比べると、羽根車２８の近傍における磁気ローラ２１上の現像剤の温度が２％低下し、さらに回転速度を８００ｍｍ／秒に上げると、羽根車２８を設けない場合に比べると、羽根車２８の近傍における磁気ローラ２１上の現像剤の温度が４．５％低下する。これより、羽根車２８の回転速度が大きくなると、磁気ローラ２１上の現像剤の温度を低下させる効果が大きくなる。
【００３７】
上記実施形態によると、現像装置１００ａは、磁性体のキャリアとトナーからなる現像剤を撹拌して帯電させる撹拌部材２３と、内部に固定された固定磁石体２１ｂによりキャリアとトナーで形成した磁気ブラシを保持する磁気ローラ２１と、この磁気ブラシの層厚を規制する穂切りブレード２４と、磁気ローラ２１に保持された磁気ブラシからトナー薄層を形成し、このトナー薄層を感光体１０ａに飛翔させる現像ローラ２０を備える。現像装置１００ａのハウジング２２が撹拌部材２３、磁気ローラ２１、穂切りブレード２４及び現像ローラ２０を内包して、ハウジング２２に取り付けた羽根車２８が駆動機構により回転させられると、ハウジング２２内の空気が撹拌される。
【００３８】
この構成によれば、羽根車２８が回転することにより、ハウジング２２内の空気が撹拌されるので、穂切りブレード２４と磁気ブラシとの摺擦により発熱した空気、また撹拌部材２３の現像剤の撹拌や磁気ローラ２１と現像ローラ２０の回転等により発熱した空気がハウジング２２内で急速に撹拌されて、ハウジング２２内の温度上昇が抑制される。従って、現像剤の流動性が悪化することなく、良好な現像性能を得ることができる。
【００３９】
また、この構成によれば、羽根車２８をハウジング２２に取り付けるので、簡単な部品を現像装置１００ａに設けるだけですみ、製造コストを安くすることができる。
【００４０】
また、上記実施形態によると、穂切りブレード２４は、一端部２４ａが現像剤の層厚を規制して、他端部２４ｂがハウジング２２に取り付けられ、羽根車２８は、空気が穂切りブレード２４の一端部２４ａからその他端部２４ｂに流すように回転するので、磁気ローラ２１表面上の磁気ブラシ側の発熱した空気が、穂切りブレード２４の一端部２４ａ側からその他端部２４ｂ側に流れ、コ字状の支持板２２ａに沿って循環するので、穂切りブレード２４により層厚調節された現像剤の温度上昇が抑制される。従って、現像剤の流動性が悪化することなく、良好な現像性能を得ることができる。
【００４１】
また、上記実施形態によると、羽根車２８が合成樹脂からなる複数の羽根で形成されるので、簡単に作製することができ、製造コストを安くすることができる。また、電気抵抗値の大きい合成樹脂で羽根車２８を形成すると、現像剤が羽根車２８に付着することが防止される。
【００４２】
また、上記実施形態によると、羽根車２８が現像ローラ２０の駆動機構により回転駆動されるので、羽根車２８と現像ローラ２０の夫々にモータや駆動回路等を設ける必要がなく、構成が簡単になり、製造コストを抑制することができる。
【００４３】
また、上記実施形態によると、画像形成装置１において、上記の現像装置１００ａ〜１００ｄを備えるようにすれば、現像剤の昇温が抑制され、現像剤の流動性が悪化することがないから、形成される画像の品質が高くて安定した画像形成装置１を提供することができる。
【００４４】
尚、上記実施形態では、磁気ローラと現像ローラを用いた現像装置に適用した例を示したが、本発明はこれに限らず、１成分現像方式、また２成分現像方式の現像装置に適用してもよい。１成分現像方式、また２成分現像方式では、現像ローラ上の現像剤と摺擦する規制部材の近傍に回転体を設ければよい。
【００４５】
また、上記実施形態では、羽根車２８が穂切りブレード２４と磁気ローラ２１との近傍に設けられた構成を示したが、本発明はこれに限らず、羽根車２８が撹拌部材２３の上側に設けられてもよい。この場合は、主に撹拌部材２３の現像剤の撹拌により発熱する温度上昇を抑制するが、穂切りブレード２４と磁気ブラシ２１との摺擦等の摺動部分の発熱による温度上昇も抑制することができる。
【００４６】
また、上記実施形態では、羽根車２８が穂切りブレード２４と磁気ローラ２１との近傍に設けられた構成を示したが、本発明はこれに限らず、羽根車２８を撹拌部材２３の上側に、さらに追加して設ける構成にしてもよい。この場合も上記同様、穂切りブレード２４と磁気ブラシ２１との摺擦等の摺動部分の発熱、また撹拌部材２３の現像剤の撹拌により発熱による温度上昇を一層抑制することができる。
【００４７】
また、上記実施形態では、羽根車２８が３枚の羽根２８ｂを備える構成を示したが、本発明はこれに限らず、２枚又は４枚の羽根にしてもよい。この場合も上記と同様の効果を得ることができる。
【産業上の利用可能性】
【００４８】
本発明は、複写機、プリンタ、ファクシミリ等の画像形成装置における現像装置及びこれを用いた画像形成装置に利用することができる。
【図面の簡単な説明】
【００４９】
【図１】は、本発明の実施形態である画像形成装置の概略構成を示す断面図である。
【図２】は、本発明の実施形態である画像形成装置に用いられる現像装置の構成を示す断面図である。
【図３】は、本発明の実施形態である現像装置の回転体の構成を示す斜視図である。
【符号の説明】
【００５０】
１    画像形成装置
１０ａ〜１０ｄ    感光体
２０    現像ローラ
２１    磁気ローラ
２２    ハウジング
２３    撹拌部材
２３ａ    撹拌ミキサー
２３ｂ    パドルミキサー
２４    穂切りブレード
２８    羽根車
１００ａ〜１００ｄ    現像装置
【図１】
2008299047.tif 000003
【図２】
2008299047.tif 000004
【図３】
2008299047.tif 000005